(57)【要約】      （修正有）【課題】ペットボトルと食品容器を同時に片手で持っても安定的に支持でき、テーブル等を使用しなくても、歩きながら簡単に飲食できるペットボトル用食品容器連結ホルダーを提供する。【解決手段】ペットボトル１１飲み口からペットボトル肩部で係止できるように中空洞の穴２を上部に設け、ペットボトルの胴体部を固定する帯３を中央部に配し、さらに、下部には食品容器９を収納する食品容器収納部と、その左右いづれかに箸やフォーク及びスプーンを支持する手段５を具備した構造とした。【選択図】図７
2017105482.tif 000002
【特許請求の範囲】
【請求項１】
ペットボトル飲み口から、前記ペットボトル肩部で係止できるよう中空洞の穴と折り曲  げ線を上部に設け、該ペットボトルの略中央胴体部を固定する帯を中央部に配し、さら  に、下部には食品容器を収納する食品容器収納部と、その左右いづれかに箸やフォーク  及びスプーンを支持する手段を具備したことを特徴とするペットボトル用食品容器連結  ホルダー。
【請求項２】
前記略中央胴体部を固定する帯は、左右にのびた帯で形成され、該帯状の両端部には切  欠き止め部を設け、取り外しができる構造にしたことを特徴とする請求項１に記載する  ペットボトル用食品容器連結ホルダー。
【請求項３】
前記食品容器収納部は、上下平行に一定幅の帯状を形成する切り込み線と、該切り込み  線両端部に折り曲げ線を配し、前記切り込み線で切り離された帯状の面を前面に開け、  中空洞化した所に食品容器を差し込む構造にし,さらに、箸やフォーク及びスプーンを  支持する収納部は、左右いづれかに設け、中空洞の箱型を成す構造としたことを特徴と  する請求項１又は２に記載するペットボトル用食品容器連結ホルダー。
【発明の詳細な説明】
【技術分野】
【０００１】
本発明は、飲料用ペットボトルと食品容器を片手で持ち飲食できるよう対策を施した    、ペットボトル用食品容器連結ホルダーに関するものである。
【背景技術】
【０００２】
従来、飲料容器と食品容器を片手で持って飲食できる連結装置は知られている。
【先行技術文献】
【特許文献】
【０００３】
【特許文献１】特開２０００−３３５５５２
【特許文献２】特開２０１５−０３７９５０
【特許文献３】特開２００７−３２６６３８
【特許文献４】米国特許第７１８２２４２
【特許文献５】米国特許第５７２５１１７
【発明の概要】
【発明が解決しようとする課題】
【０００４】
特許文献１−５に示されている片手で飲食できる製品は、全て飲料用カップを用い上下  もしくはサイドに食品容器を配し、片手で飲食できる構造である。特許文献１−５の構  造は複雑であり、製造コストが高くつくことで特に業務用での使用には難点があること  と、コップサイズの使用が限定されると言った欠点がある。また、近年、店舗やイベン  ト会場等では飲料用サーバーが減少傾向にあり、ペットボトルのみでの販売が増加傾向  にある。しかしながら、ペットボトルを用いて片手で飲食できる製品は開発されていな  い。
【０００５】
本発明のペットボトル用食品容器連結ホルダーは、従来例の上記問題点を解消し、普及  率の高いペットボトルでの販売に即応し、また、特に業務用で求められる製品価格と組  み立ての作業性、あらゆる食品容器サイズに適応できるペットボトル用食品容器連結ホ  ルダーを提供するものである。
【課題を解決するための手段】
【０００６】
請求項１に記載の発明は、ペットボトル飲み口から、前記ペットボトル肩部で係止でき  るよう中空洞の穴と折り曲げ線を上部に設け、該ペットボトルの略中央胴体部を固定す  る帯を中央部に配し、さらに、下部には食品容器を収納する食品容器収納部と、その左  右いづれかに箸やフォーク及びスプーンを支持する手段を具備したことを特徴とするペ
ットボトル用食品容器連結ホルダー。
【０００７】
請求項２に記載の発明は、前記略中央胴体部を固定する帯は、左右にのびた帯で形成 
され、該帯状の両端部には切欠き止め部を設け、取り外しができる構造にしたことを
特徴とするペットボトル用食品容器連結ホルダー。
【０００８】
請求項３に記載の発明は、前記食品容器収納部は、上下平行に一定幅の帯状を形成す
る切り込み線と、該切り込み線両端部に折り曲げ線を配し、前記切り込み線で切り離
された帯状の面を前面に開け、中空洞化した所に食品容器を差し込む構造にし,さらに  、箸やフォーク及びスプーンを支持する収納部は、左右いづれかに設け、中空洞の箱型  を成す構造としたことを特徴とするペットボトル用食品容器連結ホルダー。
【発明の効果】
【０００９】
本発明は、以上述べたように構成されているので、以下に記載されるような効果を奏
す。
【００１０】
本発明のペットボトル用食品容器連結ホルダーは、簡単構造で組み立ても瞬時にでき
るため、作業性が早く特に業務用で使用する場合においては販売ロスを防げる。
【００１１】
本発明のペットボトル用食品容器連結ホルダーは、簡単構造のため製造コストが抑え
られ安価で提供できる。
【００１２】
本発明のペットボトル用食品容器連結ホルダーは、紙製で製作し使い捨て方式とする
方法と、プラスチックやシリコン樹脂等で製作し何回も使用できる方法との２通りで
製作することができる。
【００１３】
本発明のペットボトル用食品容器連結ホルダーは、既成の紙製及びプラスチックコッ
プが使用でき、入れる食品にあわせコップサイズも７オンスから１７オンスと幅広く
対応できることで利便性が高まる。
【００１４】
本発明のペットボトル用食品容器連結ホルダーは、１枚の板状で構成されているため
、平面状になり保管場所や輸送コストが軽減できる。
【００１５】
本発明のペットボトル用食品容器連結ホルダーは、片手で飲食ができるためテーブル
の少ないイベント会場やスポーツ観戦、映画館、立食パーティー、レジャー等のあら
ゆる場面で手軽に使用でき利便性が高まる。
【００１６】
本発明のペットボトル用食品容器連結ホルダーは、片手で飲料水と食品が持てるため
、万一転倒しても片手が使えるため安全性が保たれる。特に子供やお年寄り等には効
果がある。
【００１７】
本発明のペットボトル用食品容器連結ホルダーは、ペットボトルの飲み口部と胴体部    との２箇所でしっかり把持する構造にしているため安定性がある。
【図面の簡単な説明】
【００１８】
【図１】ペットボトル用食品容器連結ホルダーの展開平面図である。
【図２】ペットボトル用食品容器連結ホルダー組み立てを示す斜視図である。
【図３】ペットボトル用食品容器連結ホルダー箸収納部を組み立てた状態を示す斜視図          である。
【図４】ペットボトル用食品容器連結ホルダーの組み立て斜視図である。
【図５】ペットボトル用食品容器連結ホルダーに食品容器を装着した斜視図である。
【図６】ペットボトル用食品容器連結ホルダーに食品の入った食品容器と箸収納部に箸          を装着した斜視図である。
【図７】ペットボトル用食品容器連結ホルダーの使用例を示す斜視図である。
【発明を実施するための形態】
【００１９】
以下、図面を参照しつつ本発明を実施するための最良の形態について説明する。
【００２０】
図１は、本発明のペットボトル用食品容器連結ホルダーの展開平面図である。１枚のシ  ート状で形成され、ペットボトル飲み口から装着し、ペットボトル肩部で係止できるよ  うに中空洞の穴２と折り曲げ線Bを備え、ペットボトル胴体部を支持するペットボトル  固定帯b1,b2と、両端部に取り外しができるよう切欠き止め部c1,c2を配し、さらに、下  部には食品容器９が収納できるよう、上下平行に一定幅の帯状を形成する切り込み線
f1,f2と両端部に折り曲げ線g1,g2を設け、片端部に箸収納部５を形成するための、折り  曲げ線a1,a2,a3、と差し込み面e、差し込み口dを具備する構造としたものである。
【００２１】
図１で示す本発明のペットボトル用食品容器連結ホルダーの展開平面図は、製作上の一  例を示したものであり、金型を製作しプラスチック等で射出成型し、一体物とする方法  も可能である。
【００２２】
図２は、本発明のペットボトル用食品容器連結ホルダーのペットボトル胴体部を固定す  るためのペットボトル固定帯の組み立てを示す斜視図である。ペットボトル固定帯
b1,b2を折り曲げ、切欠き止め部c1,c2を差し込む構造としたものである。
【００２３】
図２は、本発明製作上の一例を示すもので、ペットボトル固定帯b1,b2に施した切欠き  止め部c1,c2を削除し、ペットボトル固定帯b1,b2の両端部に糊代部を設け接合する方法  も可能である。
【００２４】
図３は、本発明のペットボトル用食品容器連結ホルダーの箸収納部を組み立てた状態を  示す斜視図である。箸収納部５を構成するために、折り曲げ線a1,a2,a3を折り曲げ、差  し込み面eを差し込み口dに差し込むと中空洞の箱状の箸収納部５ができあがる構造であ  る。
【００２５】
図４は、本発明のペットボトル用食品容器連結ホルダーの組み立て完成を示す斜視図で  ある。
【００２６】
図５は、本発明のペットボトル用食品容器連結ホルダーを組み立て、食品容器を装着し  た状態を示す斜視図である。切り込み線f1,f2で切り離された前部食品容器固定帯３を前  面に開けると、後部食品容器固定面４aと後部食品容器固定面４bとの間が中空洞を形成  し、その中空洞に食品容器９を装着する構造である。食品容器９のサイズは多種に及び
一般的に多く使用されているサイズは、７オンスから１７オンスである。本発明のペッ  トボトル用食品容器連結ホルダーの食品容器収納部Aの空間は、前部食品容器固定帯３
を前面に押し出すことで、後部食品容器固定面４aと後部食品容器固定面４bとの間が可  変サイズの中空洞となり、食品容器９を中空洞の中で挟み込む構造としたことで、１個  の本発明のペットボトル用食品容器連結ホルダーで、７オンスから１７オンスの食品容  器９の１１種類に対応できるようになった。
【００２７】
図６は、本発明のペットボトル用食品容器連結ホルダーを組み立て、食品７の入った食  品容器９と箸８を装着した状態を示しすものである。
【００２８】
図７は、本発明のペットボトル用食品容器連結ホルダーに食品７の入った食品容器９と  箸８を装着し、ペットボトル１１にストロー１０を入れ、片手６でペットボトル１１を  把持した使用形態を示したものである。
【符号の説明】
【００２９】
１      ペットボトル用食品容器連結ホルダー
２      ペットボトル引掛け穴
A      食品容器収納部
３      前部食品容器固定帯
４a     後部食品容器固定面
４b     後部食品容器固定面  
５      箸収納部
６      手
７      食品
８      箸
９      食品容器
１０    ストロー
１１    ペットボトル
B      折り曲げ線
a1      折り曲げ線
a2      折り曲げ線
a3      折り曲げ線
b1      ペットボトル固定帯
b2      ペットボトル固定帯
c1      切欠き止め部
c2      切欠き止め部
d      差し込み口
e      差し込み面
f1      切り込み線
f2      切り込み線
g1     折り曲げ線
g2     折り曲げ線
【図１】
2017105482.tif 000003
【図２】
2017105482.tif 000004
【図３】
2017105482.tif 000005
【図４】
2017105482.tif 000006
【図５】
2017105482.tif 000007
【図６】
2017105482.tif 000008
【図７】
2017105482.tif 000009